(57)【要約】【課題】携行時に収納ケースに収納された記録媒体に加わる衝撃を減少できるようにする。【解決手段】記録媒体６を開口部５から挿入して収納する箱状の収納ケース２と、この収納ケース２の端部に形成した連結部８に一端が連結されていて、中途部が収納ケース２を覆った状態で他端が収納ケース２に対して着脱自在に装着される柔軟性材料から成るカバー３とを有する。【選択図】図１
2005137498.tif 000002
【特許請求の範囲】
【請求項１】
記録媒体（６）を開口部（５）から挿入して収納する箱状の収納ケース（２）と、この収納ケース（２）の端部に形成した連結部（８）に一端が連結されていて、中途部が収納ケース（２）を覆った状態で他端が収納ケース（２）に対して着脱自在に装着される柔軟性材料から成るカバー（３）とを有することを特徴とする収納具。
【請求項２】
収納ケース（２）の一端から連結部（８）を突出させ、カバー（３）を柔軟性材料で形成してその端部に連結部（８）を外囲いする被覆部（９）を形成し、連結部（８）に被覆部（９）を被せて両者を留め金具（１２）で固定し、前記カバー（３）の他端に留め金具（１２）に装着される被係止具（１０）を設けていることを特徴とする請求項１記載の収納具。
【請求項３】
前記収納ケース（２）は連結部（８）と反対側の端部に開口部（５）を有することを特徴とする請求項１又は２に記載の収納具。
【請求項４】
前記被覆部（９）に吊し具（４）を取り付けていることを特徴とする請求項１〜３の何れかに記載の収納具。
【請求項５】
前記収納ケース（２）とカバー（３）の少なくとも一方を、導電性合成樹脂若しくは界面活性剤を塗布した合成樹脂、またはこれらと複数の合成樹脂を含む複合材料によって形成していることを特徴とする請求項１〜４の何れかに記載の収納具。
【発明の詳細な説明】
【技術分野】
【０００１】
本発明は、記録媒体を携行するのに適した収納具に関するものである。
【背景技術】
【０００２】
この種の従来技術においては、一端が開放した扁平な箱状の合成樹脂製の収納ケース内にメモリーカードを収納し、鞄等に入れて携行する際に記録媒体自体を衝撃から保護するようになっている（例えば、特許文献１）。
【特許文献１】特開２００１−３０７０４０号公報（第１−２頁、第１図）
【発明の開示】
【発明が解決しようとする課題】
【０００３】
記録媒体の収納具には、収納する記録媒体を衝撃から保護する機能が求められるが、収納ケースに与えられる衝撃は収納具の使用方法によって異なる。特に、バッグ等に入れて携行するか収納具自体を剥き出しで携行するかによっては、後者の方が強い衝撃が加わる可能性がある。
しかし、従来技術では前記のような衝撃が大きい携行を想定して収納ケースを考えておらず、強い衝撃が収納具に与えられると直接衝撃が記録媒体に伝達するので、記録媒体が損傷する可能性があった。
【０００４】
本発明はこのような従来技術の問題点を解決し得る収納具を提供することを目的とする。
本発明は収納ケース全体をカバーで覆うことで、収納された記録媒体に加わる衝撃を減少させる収納具を提供することを目的とする。
【課題を解決するための手段】
【０００５】
本発明では上記の課題を解決するために、以下の手段を講じた。
第１に、記録媒体を開口部から挿入して収納する箱状の収納ケースと、この収納ケースの端部に形成した連結部に一端が連結されていて、中途部が収納ケースを覆った状態で他端が収納ケースに対して着脱自在に装着される柔軟性材料から成るカバーとを有する。
これによって、収納ケース全体をカバーで覆うことで、収納ケース及び記録媒体に及ぶ衝撃を減少できる。さらに、収納ケースとカバーの連結により、カバーによる収納ケースの被覆が容易になり、紛失も防止できる。
【０００６】
第２に、収納ケースの一端から連結部を突出させ、カバーを柔軟性材料で形成してその端部に連結部を外囲いする被覆部を形成し、連結部に被覆部を被せて両者を留め金具で固定し、前記カバーの他端に留め金具に装着される被係止具を設けている。
これによって、カバーを安価に製作でき、収納ケースの本体部分だけでなく連結部を覆うことができ、収納ケースに対するカバーの取付が容易であり、カバーの被覆動作も容易にできる。
第３に、収納ケースが連結部と反対側の端部に開口部を有する。
【０００７】
これによって、収納ケースに開閉蓋を設けなくてもよく、カバーで開口部を閉鎖でき、記録媒体の出し入れが容易に行える。
第４に、被覆部に吊し具を取り付けている。
これによって、携行する際の不便が解消でき、紛失防止も可能となる。
第５に、収納ケースとカバーの少なくとも一方を、導電性合成樹脂若しくは界面活性剤を塗布した合成樹脂、またはこれらを含む複合材料によって形成している。
これによって、静電気の放電による記録媒体の記録消失を防ぐことができる。
【発明の効果】
【０００８】
本発明は、収納ケース全体をカバーで覆うことで、収納ケース及び記録媒体に及ぼされる衝撃を緩和できる。
【発明を実施するための最良の形態】
【０００９】
以下、本発明の実施の形態を図面に基づいて説明する。
図１は収納具１の全体を示す分解斜視図である。この収納具１は、大別すると収納ケース２、カバー３、吊し具４より構成されている。
収納ケース２は一端に開口部５を有する薄形直方体状の箱形をしており、記録媒体６を挿入できるようになっている。開口部５は断面が長方形であり、開口部５に接する収納ケース２の上面には半円状に切り取られた切欠部７を有しており、記録媒体６を取出する際に指先が入りやすいようになっている。また、開口部５とは反対側に突設された連結部８を介して被覆部９と接続されている。
【００１０】
収納ケース２の構造については、本実施例では前述の一端が開口した箱形の形状のみに限られない。何れかの１面に蓋を有する箱形であっても、引出状の内箱を有する形状であってもよい。
収納ケース２は、合成樹脂で構成される。好ましくは、ポリプロピレンあるいはＡＢＳ樹脂がよいが、他のナイロン、ポリエチレン、ポリスチレン、ポリエステル、ポリ塩化ビニル、またはこれらの複合材料などであってもよく、導電性プラスチックの収納ケース２にして帯電を防止する場合や発泡ポリウレタン若しくは発泡ポリスチレンの収納ケース２として、衝撃吸収性を向上させてもよい。
【００１１】
次に、図１〜４を用いて、カバー３と被覆部９について詳説する。
カバー３は長方形のシート状であって、布、不織布、皮革等の柔軟性材料（シート材）で形成されている。カバー３の一端には被係止具１０が鋲着されており、別の一端には被覆部９を突出形成している。このカバー３の被覆部９の上方には係止具１１があって、収納ケース２を覆った状態で固定でき、記録媒体６の対衝撃性向上、記録媒体６の落下防止、埃や水分からの保護が可能となる。加えて、カバー３が収納ケース２の蓋の役割をすることで容易な記録媒体６の取り出しも可能とする。
【００１２】
カバー３の材質を選択することで収納具１には多くの機能を持たせることができる。例えば、カバー３を撥水性にすることで収納ケース２に埃や水分の侵入を防止でき、カバー３を帯電防止性にすることで静電気を防止できる。また、より衝撃吸収しやすい弾性体や発泡体をカバー３に選択して衝撃吸収性を向上させることもできる。
例えば、カバー３の外側に面する部分をウレタンからなる合成繊維の布、内側を発泡ウレタンから成る合成皮革とし、これらを貼り合わせた複合素材とし、さらに撥水剤及び／又は界面活性剤をカバー３表面に塗布する場合である。このようなカバー３を選択することで、衝撃吸収性、静電気防止、及び水分侵入防止が可能なカバー３を有する収納具１を得ることができる。
【００１３】
次に、被覆部９はカバー３の一端に中途部に比べて狭幅かつ帯状に突設した部分であって、収納ケース２の開口部５と同じ方向に開口した横Ｕ字形に曲がっている。被覆部９には留め金具１２の挿通孔１３が２箇所開けられており、連結部８を被覆部９で外囲いするように覆うことができる。
つまり、連結部８と被覆部９を留め金具１２で接続し、次いで留め金具１２の突端に係止具１１を取付けて連結される。このように連結部８や被覆部９を１箇所に集約することで、収納ケース２やカバー３等の部材が取り外し易くなり、老朽化した部材の取り替えも容易となる。さらに、複数の収納ケース２の取付も容易に行える。
【００１４】
例えば、図５に示すように３つの収納ケース２を含む収納具１を実施することができる。収納ケース２の個数が増えても、留め金具１２を長くし、カラー１４を連結部８の間に挿入し、連結部８とカバー３を長くすることで、同様な構成が実現できる。連結部８が集約され、部材を容易に取り替えられるため、複数の収納ケース２を含む実施は容易に行える。なお、本実施形態は例示であって収納ケース２の個数は３個に限られない。
吊し具４は、被覆部９に連結輪１５を介して取り付け、連結部８と枢支される金属製のフックである。指先で撓めることでフックが開き、撓みが修復することでフックが閉じる。フックの開口を利用して、衣服や鞄やベルトなどに接続できる。なお、吊り具４は本実施例の連結輪１５とフックのみには限られない。携帯電話やキーホルダーにつける場合は、紐やビニールチューブ等で取り付ける場合もあり得、フック以外にもクリップなどで衣類などに接続する場合もあるからである。
【図面の簡単な説明】
【００１５】
【図１】カバーを開いた収納具の斜視図である。
【図２】カバーを閉じた収納具の斜視図である。
【図３】収納具の分解斜視図である。
【図４】被覆部と連結部を留め金で連結した部分の断面図である。
【図５】３個の収納ケースを有する収納具の実施形態を示す分解斜視図である。
【符号の説明】
【００１６】
１    収納具
２    収納ケース
３    カバー
４    吊し具
５    開口部
６    記録媒体
８    連結部
９    被覆部
１０  被係止具
１２  留め金具
【図１】
2005137498.tif 000003
【図２】
2005137498.tif 000004
【図３】
2005137498.tif 000005
【図４】
2005137498.tif 000006
【図５】
2005137498.tif 000007